(57)【要約】【課題】  本発明は、装置の設置後、造水を提供するタイプの変更に迫られても、装置全体を取り替えることなく別タイプにすることができる造水販売装置を得るにある。【解決手段】  水道水等を浄化して純水等の造水にすることができる造水供給装置と、この造水供給装置に設けられた、貨幣の投入によって造水が提供される貨幣式販売装置およびカードの挿入によって造水が提供されるカード式販売装置が備えられる、両装置を併用したり、両装置のうちいずれか一の装置を用いたり、両装置を用いなくても造水を提供することができる造水提供ユニットとで造水販売装置を構成している。【選択図】  図１
2005115879.tif 000002
【特許請求の範囲】
【請求項１】
水道水等を浄化して純水等の造水にすることができ、注水口ノズルより前記造水を容器に注入することができる造水供給装置と、この造水供給装置に設けられた、貨幣の投入によって造水が提供される貨幣式販売装置およびカードの挿入によって造水が提供されるカード式販売装置が備えられる、両装置を併用したり、両装置のうちいずれか一の装置を用いたり、両装置を用いなくても造水を提供することができる造水提供ユニットとで構成されていることを特徴とする造水販売装置。
【請求項２】
水道水等を浄化して純水等の造水にすることができ、注水口ノズルより前記造水を容器に注入することができる造水供給装置と、この造水供給装置に設けられた、貨幣の投入によって造水が提供される貨幣式販売装置およびカードの挿入によって造水が提供されるカード式販売装置が備えられる、両装置を併用したり、両装置のうちいずれか一の装置を用いて造水を提供することができる造水提供ユニットとで構成されていることを特徴とする造水販売装置。
【請求項３】
造水供給装置は、形状、容量が異なる複数種のボトルを選択して収納することができる造水供給室が備えられているとともに、この造水供給室に収納された前記選択されたボトルに注水口ノズルより造水を注入することができるように構成されていることを特徴とする請求項１あるいは２に記載の造水販売装置。
【発明の詳細な説明】
【技術分野】
【０００１】  本発明は水道水等を浄化した純水等の造水を、スーパーマーケット、デパート、コンビニ、レストラン、ホテル、病院、工場等で販売する造水販売装置に関する。
【背景技術】
【０００２】  従来、貨幣の投入によって造水が提供される貨幣式販売装置が設置されたタイプや、カードの挿入によって造水が提供されるカード式販売装置が設置されたタイプ、両装置を併用するタイプ、あるいは両装置を何れも用いずに提供することができるタイプのものがあった。【０００３】  従来の造水販売装置は、設置する店舗や施設等の事情に合わせて、上記各タイプの中から選択されたものが設置されるが、当該装置の設置後、店舗側の都合や顧客の要望等により上記タイプの変更に迫られると、装置全体を別タイプのものに入れ替えなければならず、極めて不経済であるという欠点があった。
【発明の開示】
【発明が解決しようとする課題】
【０００４】  本発明は以上のような従来の欠点に鑑み、装置の設置後、造水を提供するタイプの変更に迫られても、装置全体を取り替えることなく別タイプにすることができる造水販売装置を提供することを目的としている。【０００５】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】  上記目的を達成するために、水道水等を浄化して純水等の造水にすることができ、注水口ノズルより前記造水を容器に注入することができる造水供給装置と、この造水供給装置に設けられた、貨幣の投入によって造水が提供される貨幣式販売装置およびカードの挿入によって造水が提供されるカード式販売装置が備えられる、両装置を併用したり、両装置のうちいずれか一の装置を用いたり、両装置を用いなくても造水を提供することができる造水提供ユニットとで造水販売装置を構成している。
【発明の効果】
【０００７】  以下の説明から明らかなように、本発明にあっては次に列挙する効果が得られる。【０００８】（１）水道水等を浄化して純水等の造水にすることができ、注水口ノズルより前記造水を容器に注入することができる造水供給装置と、この造水供給装置に設けられた、貨幣の投入によって造水が提供される貨幣式販売装置およびカードの挿入によって造水が提供されるカード式販売装置が備えられる、両装置を併用したり、両装置のうちいずれか一の装置を用いたり、両装置を用いなくても造水を提供することができる造水提供ユニットとで構成されているので、スーパーマーケット、デパート、コンビニエンスストア等において、装置の設置当初、例えば、貨幣式販売装置のみを用い、顧客のニーズや店舗側の事情等により、事後的にカード式販売装置等への変更に迫られても、適宜変更することができる。
したがって、造水販売装置自体を入れ替える必要がないので、極めて経済的に用いることができる。【０００９】（２）前記（１）によって、従来からある造水販売装置に、造水提供ユニットを採用することができるので、極めて経済的に実施することができる。【００１０】（３）請求項２も前記（１）、（２）と同様の効果が得られる。【００１１】（４）請求項３も前記（１）、（２）と同様の効果が得られるとともに、造水の購入者は、必要とする造水の量に応じて、形状、容量が異なる複数種のボトルを選択して用いることができる。
【発明を実施するための最良の形態】
【００１２】  以下、図面に示す本発明を実施するための最良の形態により、本発明を詳細に説明する。【００１３】  図１ないし図５に示す本発明を実施するための最良の第１の形態において、１は、水道水等を浄化した純水等の造水を販売する本発明の造水販売装置で、この造水販売装置１は、水道水等を浄化して純水等の造水にすることができ、注水口ノズル１８より前記造水を容器、本形態ではボトル３０に注入することができる造水供給装置３４と、この造水供給装置３４に設けられた、貨幣の投入によって造水が提供される貨幣式販売装置１４およびカードの挿入によって造水が提供されるカード式販売装置１５が備えられる、両装置を併用したり、両装置のうちいずれか一の装置を用いたり、両装置を用いなくても造水を提供することができる造水提供ユニット１６とで構成されている。【００１４】  前記造水供給装置３４は、水道、井戸等の給水源からの水が供給される給水路２と、この給水路２に介装された、前記給水源からの水の不純物を除去する前処理フィルター３と、この前処理フィルター３の下流の給水路２に設けられた第一の活性炭フィルター４と、この第１の活性炭フィルター４の下流の給水路２に設けられた加圧ポンプ５と、この加圧ポンプ５に接続された逆浸透膜フィルター６と、この逆浸透膜フィルター６の下流に設けられた、当該逆浸透膜フィルター６を通過した水が第２の活性炭フィルター７を介して供給される、第１の分岐注水路８および第２の分岐注水路９を備えた注水路１０と、この注水路１０の第１の分岐注水路８に介装されたミネラル分添加装置１１と、前記注水路１０介装された、本実施の形態では第１の分岐注水路８および第２の分岐注水路９に介装された紫外線殺菌装置１２、１２Ａと、一端が前記給水路２の加圧ポンプ５の上流に接続され他端が前記注水路１０に接続された、前記注水路１０からの造水供給時には閉路状態となり、造水供給時以外では所定時間開路状態となり前記逆浸透膜フィルター６を通過した水が前記加圧ポンプ５の上流に供給される循環水路１３とで構成されている。【００１５】  前記給水路２には、その上流部に給水ポンプ１７が設けられ、水道、井戸等の給水源からの水が効率よく供給できるように構成されている。【００１６】  前記前処理フィルター３は、例えば、セディメントフィルターからなり、水道、井戸等の給水源からの水に含有された赤錆、水の濁り等の不純物をろ過するように構成されている。【００１７】  前記第１の活性炭フィルター４は、前記前処理フィルター３でろ過された水を通過させることで、当該水に含有される塩素、カビ臭、有機化合物等を吸着除去するように構成されている。【００１８】  前記加圧ポンプ５は、従来から使用されているものを用い、前記第１の活性炭フィルター４を通過した水を逆浸透膜フィルター６に供給するように構成されている。【００１９】  前記逆浸透膜フィルター６は、前記第１の活性炭フィルター４を通過した水が前記加圧ポンプ５によって供給され、当該水に含有されるバクテリア、ウィルス、発がん性物質、その他の有機化合物等を除去するように構成されている。【００２０】  前記注水路１０は、上流部に前記第１の活性炭フィルター４と同態様の第２の活性炭フィルター７が介装され、最下流部には注水口ノズル１８が取付けられている。また、その経路には第１の分岐注水路８および第２の分岐注水路９が設けられ、それぞれに電磁弁１９、１９Ａが取付けられているとともに、下流部で合流するように構成されている。【００２１】  前記ミネラル分添加装置１１は、例えば、海のミネラル分を豊富に含んだ風化造礁サンゴ粒等を充填したカートリッチ式のもので構成されている。【００２２】  前記紫外線殺菌装置１２、１２Ａは、従来から使用されているものを用い、前記注水路１０の第１の分岐注水路８の前記ミネラル分添加装置１１を通過した水および第２の分岐注水路９を通過する水をそれぞれ殺菌処理するように構成されている。【００２３】  前記循環水路１３は、一端が前記給水路２の加圧ポンプ５の上流に介装されたチーズ等の分岐接続具２０に接続され、他端が前記注水路１０に介装された分岐接続具２０にそれぞれ接続されているとともに、その経路には電磁弁２１が介装され、制御装置２２によって開閉するように構成されている。
なお、前記循環水路１３は、その経路に紫外線殺菌装置１２を介装させて構成してもよい。【００２４】  前記制御装置２２は、前記注水路１０からの造水２３の供給時には、前記循環水路１３の電磁弁２１を閉塞し、前記注水路１０の第１の分岐注水路８および第２の分岐注水路９に設けられた電磁弁１９、１９Ａを選択的に開放するとともに、前記注水路１０からの造水２３の供給時以外では、前記電磁弁２１を所定時間（概ね、３〜５分が望ましい。）開放し、前記開放された電磁弁１９（１９Ａ）を閉塞するとともに、前記加圧ポンプ５を所定時間（前記電磁弁２１が開放されている間）運転させるように構成されている。【００２５】  前記造水提供ユニット１６は、造水２３を純水あるいはミネラルイオン水いずれか一方に選択して運転を開始させる造水選択ボタン２５、２５Ａを備え、ケーシング２４の所定箇所に設置されている。なお、前記造水選択ボタン２５、２５Ａは、前記制御装置２２に回路接続されている。【００２６】  また、造水提供ユニット１６は、貨幣式販売装置１４あるいはカード式販売装置１５がそれぞれ独立して作動できるように設けられ、貨幣式販売装置１４のみを用いる場合はカード式販売装置１５の電気接続を解除して当該装置１５を取り外し、カード式販売装置１５のみを用いる場合は貨幣式販売装置１４の電気接続を解除して当該装置１４を取り外すとともに、両装置を併用する場合は両装置をともに電気接続し、両装置をいずれも用いない場合は両装置の電気接続を解除して取り外して用いることができるように構成されている。【００２７】  前記貨幣式販売装置１４は、硬貨投入口２６、紙幣投入口２７、価格表示部等が設けられた従来から使用されているもので構成されている。【００２８】  前記カード式販売装置１５は、造水２３の購入客に発行される各購入客の個人情報、プリペイド情報等が入力された磁気型、ＩＣチップ内臓型等のカードを読み取るカードリーダー２８を備えて構成されている。【００２９】  前記ケーシング２４は、開閉扉２９によって開閉可能に形成され、この開閉扉２９には造水２３が注入されるボトル３０を出し入れするための注水口扉３１が取付けられている。また、前記注水口扉３１に対応する部位には、前記注水路１０の注水口ノズル１８が配設された、前記ボトル３０を収納する造水供給室３２が設けられている。【００３０】  上記構成の造水販売装置１は、造水提供ユニット１６を貨幣式販売装置１４とカード式販売装置１５とを併用するタイプにした場合は、先ず、造水２３を購入する客がカードをカードリーダー２８に差し込むことで、購入者の個人情報等を認識させる。この際、貨幣式販売装置１４の硬貨投入口２６に必要な額の硬貨を投入する等してから、購入したい造水２３の種類を選択して造水選択ボタン２５、２５Ａのいずれかを押す。なお、この場合、注水口ノズル１８付近に貯留された造水２３を排水させるように制御装置２２を設定することで、より衛生的な造水２３の供給を行うことができる。【００３１】  次に、注水口扉３１を開けてボトル３０を造水供給室３２に収納して注水口ノズル１８より造水２３を注入する。なお、この場合、ボトル３０を収納し注水口扉３１を閉じた後に注水口ノズル１��から造水２３が注水されるように制御装置２２を設定することで、効率よく造水２３の供給を行うことができる。【００３２】  造水２３の生成は、図４に示すように、水道、井戸等の給水源からの水が給水ポンプ１７によって給水路２に供給され、前処理フィルター３、第１の活性炭フィルター４で浄化処理された後、加圧ポンプ５によって逆浸透膜フィルター６でさらに浄化処理されて注水路１０に供給される。この場合、逆浸透膜フィルター６を通過した水には、水中に不純物や有害物質がほとんどなくなる代わりに、当該逆浸透膜フィルター６を通過しない水は、不純物や有害物質の溶解濃度が高くなるので、排水経路３３を通して系外に排水する。【００３３】  注水路１０に供給された水（純水レベルの水）は、第２の活性炭フィルター７で残存している臭いが吸着除去されて水の味が調えられ、その後、第１の分岐注水路８あるいは第２の分岐注水路９にそれぞれ供給される。【００３４】  第１の分岐注水路８に供給された水は、ミネラル分添加装置１１を通過することでミネラルイオン水に生成され、その後紫外線殺菌装置１２によってさらに殺菌処理された後、注水口ノズル１８に供給される。【００３５】  第２の分岐注水路９に供給された水は、紫外線殺菌装置１２Ａによってさらに殺菌処理された後、注水口ノズル１８に供給される。【００３６】  このようにして、水道、井戸等の給水源からの水を純水あるいはミネラルイオン水からなる造水２３にすることで、かかる造水２３は、衛生的に優れ、従来の調理用水としてだけでなく、飲料用としても用いることができる。【００３７】  次に、注水口ノズル１８から所定量の造水２３をボトル３０に注入して供給した後は、図５に示すように、開放された前記注水路１０の電磁弁１９（１９Ａ）が閉塞され、循環水路１３の電磁弁２１が所定時間開放される。【００３８】  加圧ポンプ５は、注水口ノズル１８からの造水２３の供給後、直ちに停止するのではなく所定時間運転される。この場合、逆浸透膜フィルター６を通過した水は循環水路１３によって再度当該加圧ポンプ５の上流部に供給され、循環状態になる。
したがって、加圧ポンプ５のモーターに過負荷がかかる不都合を効果的に回避することができるとともに、逆浸透膜フィルター６を通過した水を再度逆浸透膜フィルター６で浄化することができる。【００３９】  なお、逆浸透膜フィルター６を通過した水の循環水路１３による循環作業は、注水口ノズル１８からの造水２３の供給後に限らず、造水２３を供給する前に所定時間行うようにしてもよい。【００４０】  また、造水提供ユニット１６は、本形態では、貨幣式販売装置１４およびカード式販売装置１５を併用したものについて説明したが、本発明はこれに限らず、
両装置のうちいずれか一の装置のみを用いたり、両装置をいずれも用いないで使用することができる。
このように造水提供ユニット１６を構成することにより、顧客のニーズや店舗側の事情等により、造水の提供方法を適宜変更することができるので、造水供給装置１自体を入れ替える必要がなく、極めて経済的に用いることができる。
｛発明を実施するための異なる形態｝【００４１】  次に、図６ないし図１０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。【００４２】  図６に示す本発明を実施するための第２の形態において、前記本発明を実施するための最良の第１の形態と主に異なる点は、貨幣式販売装置１４およびカード式販売装置１５を併用したり、両装置のうちいずれか一の装置を用いて造水２３を提供することができる造水提供ユニット１６Ａを用いた点で、このような造水提供ユニット１６Ａを用いて構成された造水販売装置１Ａにしても、前記本発明を実施するための最良の第１の形態と同様の作用効果が得られる。【００４３】  図７に示す本発明を実施するための第３の形態において、前記本発明を実施するための最良の第１の形態と主に異なる点は、注水口ノズル１８の上流部寸前に紫外線殺菌装置１２を取付けた造水供給装置３４Ａを用いた点で、このような造水供給装置３４Ａを用いて構成した造水販売装置１Ｂにしても前記本発明を実施するための最良の第１の形態と同様の作用効果が得られるとともに、注水路１０Ａ内に何らかの細菌類が混入した場合でも、注水口ノズル１８の上流部寸前で確実に紫外線殺菌装置１２で殺菌することができる。
したがって、より確実に安全な造水を提供することができる。【００４４】  図８ないし図１０に示す本発明を実施するための第４の形態において、前記本発明を実施するための最良の第１の形態と主に異なる点は、形状、容量が異なる複数種のボトル、本形態では２種類のボトル３０Ａ、３０Ｂを選択して収納することができる造水供給室３２Ａが設けられた造水供給装置３４Ｂを用いた点で、このような造水供給装置３４Ｂを備えた造水販売装置１Ｃにしても前記本発明を実施するための最良の第１の形態と同様の作用効果が得られるとともに、造水２３の購入者は、必要とする造水２３の量に応じて、形状、容量を異にする複数種のボトル３０Ａ、３０Ｂを適宜選択して用いることができる。【００４５】  なお、前記造水供給室３２Ａは、大容量となるボトル３０Ａの場合は、当該ボトル３０Ａの両側部を保持するように形成され、当該ボトル３０Ａよりも細身で小容量となるように形成されたボトル３０Ｂの場合は、当該ボトル３０Ｂの底部を取付け凹部３５で支持させるように構成されている。【００４６】  また、前記造水供給室３２Ａには、前記ボトル３０Ａ（３０Ｂ）への造水２３の所定量の注入量を検知する注入量検知センサー３６と、前記ボトル３０Ａ、３０Ｂの識別を行う、本形態では大容量となる前記ボトル３０Ａの側面部に当接されて、当該ボトル３０Ａを認識するボトル検知センサー３７とが備えられ、それぞれ制御装置２２で制御されるように構成されている。【００４７】  この場合、前記ボトル３０Ａ（３０Ｂ）への造水２３の所定量の注入量を前記注入量検知センサー３６で検知した場合には、制御装置２２によって、造水供給装置３４Ｂによる造水２３の供給状態を停止させる。【００４８】  前記ボトル検知センサー３７でボトル３０Ａを認識した場合には、制御装置２２によって、ボトル３０Ａによる造水２３の販売価格を前記造水提供ユニット１６の価格表示部に提示し、ボトル３０Ｂによる販売価格との識別を自動的に行う。【００４９】  このように、前記造水販売装置１Ｃは、２種類のボトル３０Ａ、３０Ｂを選択して用いることができるように構成されているが、本発明はこれに限らず、例えば、取付け凹部３５を２段階で形成する等、少なくとも２種類以上のボトルが選択して収納できるように構成してもよい。また、本形態では、大容量となるボトル３０Ａをボトル検知センサー３７で認識するように構成されたものについて説明したが、本発明はこれに限らず、例えば、取付け凹部３５の底部に当該ボトル検知センサー３７を設け、小容量となるボトル３０Ｂを認識するように構成する等してもよい。【００５０】  なお、本発明を実施する各形態において、造水２３は、前記造水供給装置３４、３４Ａ、３４Ｂで供給するものについて説明したが、本発明はこれに限らず、従来から用いられている造水供給装置を用いて構成してもよい。
【産業上の利用可能性】
【００５１】  本発明は水道水等を浄化して純水等の造水を提供する造水販売装置を製造する産業で利用される。
【図面の簡単な説明】
【００５２】
【図１】本発明を実施するための最良の第１の形態の正面図。
【図２】本発明を実施するための最良の第１の形態の開閉扉を開けた状態の正面図。
【図３】本発明を実施するための最良の第１の形態の一部破断側面図。
【図４】本発明を実施するための最良の第１の形態の概略説明図。
【図５】循環水路に造水を供給した状態の概略説明図。
【図６】本発明を実施するための第２の形態の正面図。
【図７】本発明を実施するための第３の形態の概略説明図。
【図８】本発明を実施するための第４の形態の概略説明図。
【図９】本発明を実施するための第４の形態の造水供給室の正面図。
【図１０】図９の１０−１０線に沿う断面図。
【符号の説明】
【００５３】１、１Ａ〜１Ｃ：造水販売装置、    ２：給水路、
３：前処理フィルター、            ４：第１の活性炭フィルター、
５：加圧ポンプ、                  ６：逆浸透膜フィルター、
７：第２の活性炭フィルター、      ８：第１の分岐注水路、
９：第２の分岐注水路、            １０：注水路、
１１：ミネラル分添加装置、        １２、１２Ａ：紫外線殺菌装置、
１３：循環水路、                  １４：貨幣式販売装置、
１５：カード式販売装置、          １６、１６Ａ：造水提供ユニット、
１７：給水ポンプ、                １８：注水口ノズル、
１９、１９Ａ：電磁弁、            ２０：分岐接続具、
２１：電磁弁、                    ２２：制御装置、
２３：造水、                      ２４：ケーシング、
２５、２５Ａ：造水選択ボタン、    ２６：硬貨投入口、
２７：紙幣投入口、                ２８：カードリーダー、
２９：開閉扉、                    ３０、３０Ａ、３０Ｂ：ボトル、
３１：注水口扉、                  ３２、３２Ａ：造水供給室、
３３：排水経路、                  ３４、３４Ａ、３４Ｂ：造水供給装置、
３５：取付け凹部、                ３６：注入量検知センサー、
３７：ボトル検知センサー。
【図１】
2005115879.tif 000003
【図２】
2005115879.tif 000004
【図３】
2005115879.tif 000005
【図４】
2005115879.tif 000006
【図５】
2005115879.tif 000007
【図６】
2005115879.tif 000008
【図７】
2005115879.tif 000009
【図８】
2005115879.tif 000010
【図９】
2005115879.tif 000011
【図１０】
2005115879.tif 000012